(57)【特許請求の範囲】
【請求項１】
ベースプレートと、このベースプレートの略中間部に回動自在に枢支したハイバックと、上記ベースプレートの後部一側にその一端を枢支した一方のバンドと、上記ベースプレートの後部他側にその一端を枢支した他方のバンドとよりなり、上記バンドの一端が、上記ベースプレートの側面と上記ハイバックの側面間に挿入されていることを特徴とするスノーボード用ビンディング。
【請求項２】
上記ベースプレートと上記ハイバックとの間に介挿した厚さ調整部材を更に有することを特徴とする請求項１記載のスノーボード用ビンディング。
【請求項３】
上記厚さ調整部材が、楔状の介挿体であることを特徴とする請求項２記載のスノーボード用ビンディング。
【請求項４】
上記厚さ調整部材が、上記ハイバックに向って進退するよう上記ベースプレートに螺合したネジであることを特徴とする請求項２記載のスノーボード用ビンディング。
【発明の詳細な説明】
【０００１】
【発明の属する技術分野】
本発明はスノーボード用ビンディングに関するものである。
【０００２】
【従来の技術】
図７は従来のスノーボード用ビンディングの側面図であって、１はスノーボード本体（図示せず）に固定されるベースプレート、２はブーツ、３はブーツ２の後面に対接されるよう上記ベースプレート１に連結されたハイバック、４は上記ベースプレート１に対し、上記ハイバック３を回動自在に枢支するための枢支部、５は上記ブーツ２の甲部を締め付けるため上記ベースプレート１に設けたアンクルストラップ、６はブーツ２のつま先を締め付けるため上記ベースプレート１に設けたトウーストラップ、７はハイバック３の背面に設けた、その下面が上記ベースプレート１の後方ヒールカップ１ａの後端上面に対接されるハイバック前傾調整部材を示す。
【０００３】
図８は、上記トウーストラップ６の詳細説明図であって、８ａはその一端を上記ベースプレート１の一側に固定した一方のバンド、８ｂは上記ベースプレート１の他側にその一端を固定した他方のバンド、９は上記一方のバンド８ａの遊端に連結したバックル、１０はこのバックル９に連結したラチェットベルト、１１は上記他方のバンド８ｂに上記ラチェットベルト１０を連結するために設けたラチェット爪を有するロック部を示す。
【０００４】
なお、アンクルストラップ５は、上記トウーストラップ６と同一の構成を有する。
【０００５】
このような従来のスノーボード用ビンディングにおいては、ベースプレート１にブーツ２を装着するとき、上記アンクルストラップ５及びトウーストラップ６のラチェットベルト１０とラチェット爪を有するロック部１１の係合を外し、一方及び他方のバンド８ａ，８ｂを両手で互いに分離した後、ブーツ２を上記ベースプレート１にその上方から乗せ、図８に示すようにラチェットベルト１０をラチェット爪を有するロック部１１に挿入し、バックル９を締めてブーツの甲及びつま先をベースプレート１に固定せしめている。
【０００６】
【発明が解決しようとする課題】
然しながら、上記従来のスノーボード用ビンディングにおいては、アンクルストラップ５を締めつけた場合、図９に示すように足の甲部分２１に締めつけ力が集中するため、足が痛む場合があった。
【０００７】
本発明は上記の欠点を除くようにしたものである。
【０００８】
【課題を解決するための手段】
本発明のスノーボード用ビンディングは、ベースプレートと、このベースプレートの略中間部に回動自在に枢支したハイバックと、上記ベースプレートの後部一側にその一端を枢支した一方のバンドと、上記ベースプレートの後部他側にその一端を枢支した他方のバンドとよりなり、上記バンドの一端が、上記ベースプレートの側面と上記ハイバックの側面間に挿入されていることを特徴とする。
【０００９】
また、上記ベースプレートと上記ハイバックとの間に介挿した厚さ調整部材を更に有することを特徴とする。
【００１０】
上記厚さ調整部材は、楔状の介挿体であることを特徴とする。
【００１１】
上記厚さ調整部材は、上記ハイバックに向って進退するよう上記ベースプレートに螺合したネジであることを特徴とする。
【００１２】
【発明の実施の形態】
以下図面によって本発明の実施例を説明する。
【００１３】
本発明のスノーボード用ビンディングにおいては、図１に示すように、アンクルストラップ５によるブーツ２の締めつけを最適ならしめるための手段Ａを設ける。
【００１４】
上記手段Ａにおいては、アンクルストラップ５の一方のバンド８ａ及び他方のバンド８ｂの基部を夫々ベースプレート１の後方ヒールカップ１ａの外周面に枢支する代わりに、図２に示すように、上記一方のバンド８ａ及び他方のバンド８ｂの基部を上記ハイバック３の外周面と上記ヒールカップ１ａの内周面との間に通し、上記ヒールカップ１ａに枢支ピン３１を介して傾動自在に枢支せしめる。
【００１５】
上記手段Ａによれば、図２に示すようにアンクルストラップ５を締めつけた場合、バンド８ａ，８ｂに接するハイバック３の部分が内側に撓みハイバック３のかかと部分の幅が挟まりハイバック３によるブーツ２の足首のホールド性が向上すると共に、アンクルストラップ５とブーツ２の接触面積が従来に比べて広くなるので、締めつけ力が分散されて足の痛みを緩和せしめることができる。
【００１７】
図３は上記手段Ａの更に他の実施例を示し、この実施例においてはその基部２９が先端に向って細くなる楔型をした一方又は他方のバンド３０を用い、上記基部２９を枢支ピン３１を介して上記ベースプレート１のヒールカップ１ａに傾動自在に枢支せしめると共に、上記基部２９には上記枢支ピン３１のための複数の貫通孔３２ａ，３２ｂ，３２ｃを上下に互に離間して設ける。
【００１８】
この実施例においては、例えばヒールカップ１ａの横幅に比べてブーツ２の横幅が若干小さい場合、図３に示すように厚みの大きい上記基部２９の最上段の貫通孔３２ａに枢支ピン３１を挿通して上記基部２９を上記ヒールカップ１ａに枢支せしめれば、上記基部２９の厚みにより上記ハイバック３は若干内側に移動し、上記ハイバック３の横幅を狭めることができるので上記ブーツ２を上記ハイバック３にフィットせしめることができる。一方ヒールカップ１ａの幅とブーツ２の幅が略等しい場合には図４に示すように、厚みの小さい上記基部２９の最下段の貫通孔３２ｃを用いて上記基部２９を上記ヒールカップ１ａに枢支せしめればハイバック３の内側への移動は生ぜずブーツ２を上記ハイバック３にフィットせしめることができる。上記のようにこの実施例によれば、かかとの横幅を調整せしめることができる。
【００１９】
なお、図５に示すように、複数の貫通孔３３を有する楔状の介挿体３４を別体に設け、これをヒールカップ１ａとハイバック３間に介在せしめて、かかとの幅を調整せしめてもよい。
【００２０】
また、図６に示すように、ヒールカップ１ａにネジ孔３５を設け、このネジ孔３５にハイバック押圧用のネジ３６を螺合し、このネジ３６をヒールカップ外周面からハイバック３の方向にねじ込むことにより上記ハイバック３を上記ヒールカップ１ａに対して内側に移動せしめるようにしてもよい。
【００２１】
【発明の効果】
上記のように、本発明のスノーボード用ビンディングにいおいては、ブーツの装着性を高め得ると共にアンクルストラップ５とブーツ２の接触面積を広くとれるので足の痛みを緩和できる大きな利益がある。
【図面の簡単な説明】
【図１】  本発明のスノーボード用ビンディングの斜視図である。
【図２】  本発明のスノーボード用ビンディングのアンクルストラップ締付手段の説明用正面図である。
【図３】  本発明のスノーボード用ビンディングのアンクルストラップ締付手段の他の実施例の説明用縦断側面図である。
【図４】  本発明のスノーボード用ビンディングのアンクルストラップ締付手段の説明用縦断側面図である。
【図５】  本発明のスノーボード用ビンディングのアンクルストラップ締付手段の他の実施例の説明用縦断側面図である。
【図６】  本発明のスノーボード用ビンディングのアンクルストラップ締付手段の更に他の実施例の説明用縦断側面図である。
【図７】  従来のスノーボード用ビンディングの側面図である。
【図８】  従来のスノーボード用ビンディングの正面図である。
【図９】  従来のスノーボード用ビンディングの説明用正面図である。
【符号の説明】
１    ベースプレート
１ａ  ヒールカップ
２    ブーツ
３    ハイバック
４    枢支部
５    アンクルストラップ
６    トウーストラップ
７    前傾調整部材
８ａ  バンド
８ｂ  バンド
９    バックル
１０    ラチェットベルト
１１    ロック部
２１    甲部分
２９    基部
３０    バンド
３１    枢支ピン
３２ａ  貫通孔
３２ｂ  貫通孔
３２ｃ  貫通孔
３３    複数の貫通孔
３４    楔状の介挿体
３５    ネジ孔
３６    ネジ
【図１】
0003665946.tif 000002
【図２】
0003665946.tif 000003
【図３】
0003665946.tif 000004
【図４】
0003665946.tif 000005
【図５】
0003665946.tif 000006
【図６】
0003665946.tif 000007
【図７】
0003665946.tif 000008
【図８】
0003665946.tif 000009
【図９】
0003665946.tif 000010